(57)【要約】【課題】機器の持ち方や用途により表示部の向きを変えても、その表示内容に合わせて表示方向を切り換えることを可能にし、表示領域を最大限に活用できるようにした折り畳み式携帯型無線機器を提供する。【解決手段】表示部を備える第１筐体と、操作部を備える第２筐体と、前記第１筐体と前記第２筐体とを折り畳み可能に連結するヒンジと、前記第１筐体の前記表示部を表側に反転して閉じることを可能とするために回転可能に前記ヒンジと連結された回転軸とを設けた携帯型無線機器において、前記第１筐体の前記表示部が反転するように折り畳んだ時に、前記表示部の表示方向を切り換える。【選択図】  図１
2005099845.tif 000002
【特許請求の範囲】
【請求項１】
表示部を備える第１筐体と、操作部を備える第２筐体と、前記第１筐体と前記第２筐体とを折り畳み可能に連結するヒンジと、前記第１筐体の前記表示部を表側に反転して閉じることを可能とするために回転可能に前記ヒンジと連結された回転軸とを設けた携帯型無線機器において、
前記第１筐体の前記表示部が反転するように折り畳んだ時に、前記表示部の表示方向を切り換えることを特徴とする折り畳み式携帯型無線機器。
【請求項２】
前記第１筐体の前記表示部の反対側に副表示部を設けたことを特徴とする折り畳み式携帯型無線機器。
【発明の詳細な説明】
【技術分野】
【０００１】
本発明は、携帯電話や携帯情報端末などの携帯型無線機器、表示部を備える第１筐体と、テンキーなどの操作部を備える第２筐体とを、表示部若しくは操作部の表面に略平行な軸回りに相互に回転可能にした折り畳み式携帯型無線機器に関し、表示部の向きに合わせて表示部の表示方向を切り換え可能とするようにしたものである。
【背景技術】
【０００２】
従来の折り畳み式携帯型無線機器、例えば折り畳み式携帯電話では、図９に示されるように、受話部および表示部11を有する第１筐体10と、送話部およびテンキー23などの操作部を有する第２筐体20とを、ヒンジ１で連結し上下方向に開閉可能にされており、縦長の筐体10に対して表示面積をできる限り大きくとるよう表示部形状が縦長になっており、また操作部が第２筐体20上の開閉軸付近に配置されているものが一般的である。
【発明の開示】
【発明が解決しようとする課題】
【０００３】
しかしながら、第１筐体10の表示面を１８０°反転させて閉じた時に、使用者にとっては表示内容が逆さまになるため機器全体を持ち替える必要があるといった課題があった。
【０００４】
また、画像の送受信や録画／再生を行なう場合、画像は原則として横長であるため、縦長の表示部に横長の画像を表示することになり表示面積を十分に利用できずに、画面が小さくなるという課題があった。
【０００５】
本発明は、上記のような課題に鑑み、第１筐体を反転させて閉じた場合や機器の持ち方を変えた時などに、表示部の向きや表示内容に合わせて表示方向を自由に切り換えることを可能にした折り畳み式携帯型無線機器を提供することを目的とする。
【課題を解決するための手段】
【０００６】
本発明の折り畳み式携帯型無線機器は、表示部を備える第１筐体と、操作部を備える第２筐体と、前記第１筐体と前記第２筐体とを折り畳み可能に連結するヒンジと、前記第１筐体の前記表示部を表側に反転して閉じることを可能とするために回転可能に前記ヒンジと連結された回転軸とを設けた携帯型無線機器において、前記第１筐体の前記表示部が反転するように折り畳んだ時に、前記表示部の表示方向を切り換える。
【０００７】
この構成によれば、開いた状態から第１筐体を反転させて閉じても、画面の方向が切り換わることにより、持ち替えることなくそのまま使い続けることができる。
【０００８】
また、本発明の折り畳み式携帯型無線機器は、前記第１筐体の前記表示部の反対側に副表示部を設けられている。
【０００９】
この構成によれば、第１筐体と第２筐体を折り畳んだ状態でも、日付や時刻、電子メールや伝言の受信状況、電池容量などを知ることができる。
【発明の効果】
【００１０】
本発明は、表示部を備える第１筐体と、操作部を備える第２筐体と、前記第１筐体と前記第２筐体とを折り畳み可能に連結するヒンジと、前記第１筐体の前記表示部を表側に反転して閉じることを可能とするために回転可能に前記ヒンジと連結された回転軸とを設けた携帯型無線機器において、前記第１筐体の前記表示部が反転するように折り畳んだ時に、前記表示部の表示方向を切り換えることにより、開いた状態から第１筐体を反転させて閉じても、画面の方向が切り換わるので、持ち替えることなくそのまま使い続けることができる。
【００１１】
また、本発明は、少なくとも表示部を備える第１筐体と、少なくともテンキーなどの操作部を備える第２筐体とを折り畳み可能に連結し、さらに前記表示部若しくは前記操作部の表面に略平行な軸の回りに回転可能に構成された折り畳み式携帯型無線機器において、前記表示部の表示方向を自由に切り換え可能とする機能を有せしめたことにより、機器の持ち方や表示内容などに対して最適な表示方向を選択することができる。
【００１２】
また、本発明は、少なくとも表示部を備える第１筐体と、少なくともテンキーなどの操作部を備える第２筐体とを折り畳み可能に連結し、さらに前記表示部若しくは前記操作部の表面に略平行な軸の回りに回転可能に構成された折り畳み式携帯型無線機器において、表示部若しくは操作部の表面に略平行な軸の回りに関して、所定の回転角度において回転規制機能を有せしめたことにより、回転軸の構造上、回転角度に制限がある場合に、第１筐体及び第２筐体が無理な角度まで回転しないように規制して回転軸を保護することができる。
【００１３】
また、本発明は、少なくとも表示部を備える第１筐体と、少なくともテンキーなどの操作部を備える第２筐体とを折り畳み可能に連結し、さらに前記表示部若しくは前記操作部の表面に略平行な軸の回りに回転可能に構成された折り畳み式携帯型無線機器において、表示部若しくは操作部の表面に略平行な軸の回りに関して、所定の回転角度において回転停止機能を有せしめたことにより、９０°、１８０°などの使用頻度の高い第１筐体の位置において使用中に第１筐体が回転することなく、回転停止し且つ停止時にクリック感を与えるので安定して使用することができる。
【００１４】
また、本発明は、前記第１筐体の前記表示部の反対側に副表示部を設けたられており、第１筐体と第２筐体を折り畳んだ状態でも、日付や時刻、電子メールや伝言の受信状況、電池容量などを知ることができる。
【００１５】
また、本発明は、少なくとも表示部を備える第１筐体と、少なくともテンキーなどの操作部を備える第２筐体とを折り畳み可能に連結し、さらに前記表示部若しくは前記操作部の表面に略平行な軸の回りに回転可能に構成され、通信機能を有する折り畳み式携帯型無線機器において、第１筐体上の主表示部が第２筐体の送話部に対して反対側になるように開いて配置された状態で、スピーカとレシーバの機能を切り換え可能とする機能を有せしめたことを特徴とする折り畳み式携帯型無線機器としたものであり、この構成によれば、第１筐体と第２筐体を開いた状態から第１筐体を軸回りに１８０°回転させた時、あるいは第１筐体を反転させ閉じた状態から再度開いた時に、第１筐体を再度反転させて戻すことなくそのまま電話として送話／受話することが可能になる。
【００１６】
また、本発明は、少なくとも表示部を備える第１筐体と、少なくともテンキーなどの操作部を備える第２筐体とを折り畳み可能に連結し、さらに前記表示部若しくは前記操作部の表面に略平行な軸の回りに回転可能に構成された折り畳み式携帯型無線機器において、通信機能だけを使用しないモードに切り換え可能とする機能を有せしめたことを特徴とする折り畳み式携帯型通信機器としたものであり、この構成によれば、電車内などの人の多い場所でも周囲の人に迷惑を掛けることなく、静止画像や動画像の再生や、文書作成や電子メールの下書きなどを行なうことができる。
【発明を実施するための最良の形態】
【００１７】
以下、発明の実施の形態について、図１〜図８を用いて説明する。
【００１８】
図１は、本発明の実施の形態に係る折り畳み式携帯型無線機器の構成を示す斜視図である。図１において、折り畳み式携帯型無線機器は、主表示部11とスピーカ12などを有する第１筐体10と、選択キー21、発信ボタン23、終話ボタン24、テンキー25などの操作部とマイク22とを有する第２筐体20と、ヒンジ１と回転軸２とで構成されている。
【００１９】
そして、第１筐体10と第２筐体20は、ヒンジ１により相互に折り畳み(Ａ方向の回転)可能に連結し、さらに主表示部11または操作部21の表面に平行な軸の回りに回転(Ｂ方向の回転)可能に構成されている。
【００２０】
図２は、第１筐体10を反転させて主表示部11が表側となるように閉じた状態における表示方向を示すものであり、回転軸２に付加した回転検出機構（図示せず）により第１筐体10が１８０°回転していることを検出し、閉状態の検出機構（図示せず）と組み合わせることにより、第１筐体10が反転して閉じていることを検出し、使用者に正常に見えるように表示を図１と比較して上下方向に反転するよう切り換えている。
【００２１】
図３は、図２の状態から持ち方を変え、機器全体を９０°回転させた状態において表示方向切り換えキー15を用いて、横長になった主表示部11に合わせて表示方向を横長に切り換えている。
【００２２】
図４は、図１に示した折り畳み式携帯型無線機器の構成において、表示部若しくは操作部の表面に平行な軸回りに関して、所定の回転角度で回転規制機能を有することを示す、回転軸部分の拡大図である。
【００２３】
回転軸上部３と回転軸下部４の各々に突起を設けることにより、回転軸上部３と回転軸下部４相互の回転を１８０°以上回転しないように制限することができる。
【００２４】
図５は、図１に示した折り畳み式携帯型無線機器の構成において、表示部若しくは操作部の表面に平行な軸回りに関して、所定の回転角度において回転停止機能を有することを示す、回転軸部分の拡大図である。クリック感を有することを示す回転軸部分の拡大図である。
【００２５】
回転軸上部３に９０°間隔で凹部を、回転軸下部４に同じく９０°間隔で凸部を設けることにより、回転軸上部３と回転軸下部４との回転が９０°間隔で止まり、クリック感を発生させることができる。
【００２６】
図６は、図１に示した折り畳み式携帯型無線機器の構成において、第１筐体の主表示部の反対側に副表示部を有することを示す図である。
【００２７】
第１筐体10の主表示部11とは反対側に副表示部14を設けることにより、第１筐体10と第２筐体20を折り畳んだ状態でも、日付や時刻、電子メールや伝言の受信状況、電池容量を知ることができる。
【００２８】
図７は、図１と同様の構成で通信機能を有する折り畳み式携帯型無線機器において、第１筐体10を反転させて開いた状態を示す図である。
【００２９】
図７の状態で通信を行おうとしてマイク22を口元に持ってくると、第１筐体10の受話部ではスピーカ13が耳元にくるため、受信内容を聴きにくくなるが、スピーカ13をレシーバとして機能するように切り換えることにより、正常な通信を行なうことができる。このとき、図７には図示されないがレシーバ12をスピーカとして機能するように切り換える。
【００３０】
図８は、図１と同様の構成で折り畳み式携帯型無線機器において、第１筐体10を反転させて閉じた状態を示し、例えば表示方向切り換えキー15の長押しにより通信機能だけを使用しないモードに切り換えている様子を示す図である。なお、表示方向切り換えキー15の長押しに依らず、通信機能だけを使用しないモードに切り換える専用のキーを設けても良い。
【００３１】
静止画や動画像を送受信あるいは録画・再生する機能を有する折り畳み式携帯型無線機器においては、機器に保存された静止画や動画像の再生を行なう機能が付加されるが、この機能においては通信機能を必要としないにも関わらず、画像再生中に着信する可能性があることから、電車などの人ごみで使用することができない。しかしながら、通信機能のみを使用しないモードの切り換えることにより、人ごみにおいても周囲に迷惑を掛けることなく、機器を使用することができる。
【産業上の利用可能性】
【００３２】
本発明は、第１筐体の前記表示部が反転するように折り畳んだ時に、前記表示部の表示方向を切り換えることにより、開いた状態から第１筐体を反転させて閉じても、画面の方向が切り換わるので、持ち替えることなくそのまま使い続けることができるという効果を有し、折り畳み式携帯型無線機器として有用である。
【図面の簡単な説明】
【００３３】
【図１】本発明の実施の形態に係る折り畳み式携帯型無線機器の構成を示す斜視図、
【図２】図１に示した本発明の折り畳み式携帯型無線機器の構成において、第１筐体を反転させて閉じた状態を示し、表示部の表示方向が図１に対して上下に切り換えられている状態を示す図、
【図３】図１に示した本発明の折り畳み式携帯型無線機器の構成において、表示部の表示方向が９０°切り換えられている状態を示す図、
【図４】図１に示した本発明の折り畳み式携帯型無線機器の構成において、所定の回転角度において回転規制する機能を有せしめるための構成を示す拡大図、
【図５】図１に示した本発明の折り畳み式携帯型無線機器の構成において、所定の回転角度において回転停止する機能を有せしめるための構成を示す拡大図、
【図６】図１に示した本発明の折り畳み式携帯型無線機器の構成において、第１筐体の主表示部の反対側に副表示部を有することを示す図、
【図７】図１に示した本発明の折り畳み式携帯型無線機器において、第１筐体を反転させて開いた状態を示す図、
【図８】図１に示した本発明の折り畳み式携帯型無線機器において、通信機能だけを使用しないモードに切り換えて使用している様子を示す図、
【図９】従来の折り畳み式携帯型無線機器を示す図である。
【符号の説明】
【００３４】
１  ヒンジ
２  回転軸
３  回転軸上部
４  回転軸下部
10  第１筐体
11  主表示部
12  スピーカ
13  レシーバ
14  副表示部
15  表示方向切り換えキー
20  第２筐体
21  選択キー
22  マイク
23  テンキー
【図１】
2005099845.tif 000003
【図２】
2005099845.tif 000004
【図３】
2005099845.tif 000005
【図４】
2005099845.tif 000006
【図５】
2005099845.tif 000007
【図６】
2005099845.tif 000008
【図７】
2005099845.tif 000009
【図８】
2005099845.tif 000010
【図９】
2005099845.tif 000011